(57)【要約】【課題】サイマルキャストされたデジタル放送の内容を正確に同期させ得る。【解決手段】デジタル放送受信装置１Ａでは、分離部２１Ａ，２１Ｂは、符号化ビットストリーム３０を、第１のデジタル放送に対応する第１符号化ビットストリームと、第２のデジタル放送に対応する第２符号化ビットストリームとに分離する。第１デコーダ２２Ａは、第１符号化ビットストリームを復号して第１の復号信号を生成する。第２デコーダ２２Ｂは、第２符号化ビットストリームを復号して第２の復号信号を生成する。同期ずれ検出部２８は、伝送パラメータ３１に基づいて第１および第２の復号信号間の同期ずれを予測し、当該予測された同期ずれに基づいて検索範囲を設定し、当該検索範囲内で第１の復号信号と第２の復号信号とを所定のデータ単位で比較する。同期ずれ検出部２８は当該比較結果に基づいて同期ずれを検出する。【選択図】図２
2007306363.tif 000002
【特許請求の範囲】
【請求項１】
伝送帯域が複数個の階層に分割され、各階層毎に異なる深さのインターリーブを実行可能なマルチキャリア変調方式を用いて伝送された放送信号を受信するデジタル放送受信装置であって、
前記マルチキャリア変調方式に従って受信信号を復調して符号化ビットストリームを生成するとともに、前記インターリーブの深さを表す伝送パラメータを前記受信信号から抽出する復調回路と、
前記符号化ビットストリームを、前記階層の中の第１階層を通じて伝送された第１のデジタル放送に対応する第１符号化ビットストリームと、前記階層の中の第２階層を通じて伝送された第２のデジタル放送に対応する第２符号化ビットストリームとに分離する分離部と、
前記第１符号化ビットストリームを復号して第１の復号信号を生成する第１デコーダと、
前記第２符号化ビットストリームを復号して第２の復号信号を生成する第２デコーダと、
前記第１の復号信号と前記第２の復号信号とを所定のデータ単位で比較し、当該比較結果に基づいて前記第１の復号信号と前記第２の復号信号間の同期ずれを検出する同期ずれ検出部と、
前記同期ずれを補償するように前記第１および第２の復号信号の出力タイミングを制御する同期制御部と、を備え、
前記同期ずれ検出部は、前記伝送パラメータに基づいて前記第１の復号信号と前記第２の復号信号間の同期ずれを予測し、当該予測された同期ずれに基づいて前記第１および第２の復号信号のうちの少なくとも一方の検索範囲を設定し、前記検索範囲内で前記第１の復号信号と前記第２の復号信号とを前記所定のデータ単位で比較することを特徴とするデジタル放送受信装置。
【請求項２】
請求項１記載のデジタル放送受信装置であって、前記同期ずれ検出部は、前記検索範囲内で前記第１の復号信号と前記第２の復号信号とを比較して最も近い内容のデータ単位の組み合わせを検索し、当該組み合わせのデータ単位間の時間差を前記同期ずれとして検出することを特徴とするデジタル放送受信装置。
【請求項３】
請求項１または２記載のデジタル放送受信装置であって、
前記第１の復号信号を一時的に記憶する第１バッファと、
前記第２の復号信号を一時的に記憶する第２バッファと、をさらに備え、
前記同期制御部は、前記第１バッファおよび前記第２バッファからの信号の読み出しを制御することによって前記第１および第２の復号信号の出力タイミングを制御することを特徴とするデジタル放送受信装置。
【請求項４】
請求項１または２記載のデジタル放送受信装置であって、
前記第１符号化ビットストリームおよび前記第２符号化ビットストリームは、それぞれ、前記第１の復号信号および前記第２の復号信号の再生時刻を指定するタイムスタンプを含み、
前記分離部は、前記第１符号化ビットストリームおよび前記第２符号化ビットストリームにそれぞれ含まれるタイムスタンプのうちの少なくとも一方の値にオフセット値を加えるタイムスタンプ調整部を有しており、
前記同期制御部は、前記同期ずれを補償するように前記オフセット値を定めることによって前記第１および第２の復号信号の出力タイミングを制御することを特徴とするデジタル放送受信装置。
【請求項５】
請求項１から４のうちのいずれか１項に記載のデジタル放送受信装置であって、
前記第１の符号化ビットストリームのエラーを検出するエラー監視部と、
前記エラーが検出されないときは前記第１の復号信号を出力する一方、前記エラーが検出されたときは前記第１の復号信号に代えて前記第２の復号信号を出力する出力切替部と、
をさらに備えることを特徴とするデジタル放送受信装置。
【請求項６】
請求項１から５のうちのいずれか１項に記載のデジタル放送受信装置であって、前記インターリーブは時間方向のインターリーブであることを特徴とするデジタル放送受信装置。
【請求項７】
請求項１から６のうちのいずれか１項に記載のデジタル放送受信装置であって、前記所定のデータ単位は、映像信号の画像フレームまたは音声信号の音声フレームであることを特徴とするデジタル放送受信装置。
【請求項８】
請求項１から７のうちのいずれか１項に記載のデジタル放送受信装置であって、前記符号化ビットストリームは、ＭＰＥＧ−２規格に準拠したトランスポートストリームであることを特徴とするデジタル放送受信装置。
【発明の詳細な説明】
【技術分野】
【０００１】
本発明は、本発明は、複数のデジタル放送の受信信号を処理する技術に関し、特に、サイマルキャストで送信された複数のデジタル放送の受信信号を処理する技術に関する。
【背景技術】
【０００２】
日本の地上デジタル放送は、ＩＳＤＢ−Ｔ（Integrated Services Digital Broadcasting Terrestrial）規格で規定され、ＯＦＤＭ（直交周波数分割多重；Orthogonal Frequency Division Multiplexing）変調方式を採用している。ＯＦＤＭ変調方式は、階層伝送が可能なマルチキャリア変調方式の一種である。ＩＳＤＢ−Ｔ規格によれば、図１に概略的に示すように、１チャンネルの伝送帯域幅（約５．６ＭＨｚ）が１３個のサブバンドすなわちＯＦＤＭセグメントＳ１〜Ｓ１３に分割されており、これらＯＦＤＭセグメントＳ１〜Ｓ１３をさらに最大３個のグループすなわち階層に分割することができる。各階層毎に、キャリア変調方式や内符号の符号化率、時間インターリーブの深さなどの伝送特性を設定することができ、また、各階層毎に、異なる放送番組を送信することが可能である。たとえば、１２個のＯＦＤＭセグメントＳ１〜Ｓ６，Ｓ８〜Ｓ１３を用いて固定受信機向けの高品質のハイビジョン放送（High Definition Broadcast）を提供したり、１２個のＯＦＤＭセグメントＳ１〜Ｓ６，Ｓ８〜Ｓ１３を２個の階層に分割して階層毎に固定受信機向けの標準テレビ放送（Standard Definition Broadcast）を提供したり、中央に配置された１セグメントＳ７のみを用いて移動体向けデジタル放送（簡易動画放送）を提供したりすることができる。映像圧縮符号化／復号規格としては、固定受信機向けデジタル放送ではＭＰＥＧ−２（Moving Picture Experts Group phase 2）規格が採用され、移動体向けデジタル放送ではＨ．２６４（ＭＰＥＧ４  ＡＶＣ）規格が採用されている。上記の階層分割に関する先行技術は、たとえば、特許文献１（特開２００３−３０４５１０号公報）に開示されている。
【０００３】
地上デジタル放送が本格的に開始される当初には、放送事業者が、同一内容の番組を固定受信機向けデジタル放送と移動体向けデジタル放送との双方で同時に提供するという、いわゆるサイマルキャストが予定されている。そこで、車両などの移動体において、サイマルキャストを利用して極力高品質のデジタル放送を受信する技術がいくつか提案されている。たとえば、特許文献２（特開２００４−３１２３６１号公報）および特許文献３（特開２００４−１６６１７３号公報）では、受信品質に応じて、移動体向けのデジタル放送と固定受信機向けデジタル放送との間で受信放送を自動的に切り換える受信装置が開示されている。
【特許文献１】特開２００３−３０４５１０号公報
【特許文献２】特開２００４−３１２３６１号公報
【特許文献３】特開２００４−１６６１７３号公報
【発明の開示】
【発明が解決しようとする課題】
【０００４】
しかしながら、移動体向けのデジタル放送と固定受信機向けのデジタル放送とがサイマルキャストで提供されていても、両放送の内容が時間的に正確に同期しているとは限らない。かかる場合、受信放送が固定受信機向けのデジタル放送から移動体向けのデジタル放送に切り換えられたときに、不自然な映像が表示され、放送番組を視聴する者に違和感を与え得る。
【０００５】
上記に鑑みて本発明の目的は、サイマルキャストされたデジタル放送の内容を正確に同期させ得るデジタル放送受信装置を提供することである。
【課題を解決するための手段】
【０００６】
上記目的を達成すべく、請求項１記載の発明は、伝送帯域が複数個の階層に分割され、各階層毎に異なる深さのインターリーブを実行可能なマルチキャリア変調方式を用いて伝送された放送信号を受信するデジタル放送受信装置であって、前記マルチキャリア変調方式に従って受信信号を復調して符号化ビットストリームを生成するとともに、前記インターリーブの深さを表す伝送パラメータを前記受信信号から抽出する復調回路と、前記符号化ビットストリームを、前記階層の中の第１階層を通じて伝送された第１のデジタル放送に対応する第１符号化ビットストリームと、前記階層の中の第２階層を通じて伝送された第２のデジタル放送に対応する第２符号化ビットストリームとに分離する分離部と、前記第１符号化ビットストリームを復号して第１の復号信号を生成する第１デコーダと、前記第２符号化ビットストリームを復号して第２の復号信号を生成する第２デコーダと、前記第１の復号信号と前記第２の復号信号とを所定のデータ単位で比較し、当該比較結果に基づいて前記第１の復号信号と前記第２の復号信号間の同期ずれを検出する同期ずれ検出部と、前記同期ずれを補償するように前記第１および第２の復号信号の出力タイミングを制御する同期制御部と、を備え、前記同期ずれ検出部は、前記伝送パラメータに基づいて前記第１の復号信号と前記第２の復号信号間の同期ずれを予測し、当該予測された同期ずれに基づいて前記第１および第２の復号信号のうちの少なくとも一方の検索範囲を設定し、前記検索範囲内で前記第１の復号信号と前記第２の復号信号とを前記所定のデータ単位で比較することを特徴としている。
【発明を実施するための最良の形態】
【０００７】
以下、本発明に係る種々の実施例について説明する。
【０００８】
図２は、本発明に係る第１実施例のデジタル放送受信装置１Ａの概略構成を示す機能ブロック図である。このデジタル放送受信装置１Ａは、受信回路２と信号処理回路３Ａとで構成されている。受信回路２はチューナ１１と復調回路１２とを有する。
【０００９】
本実施例のデジタル放送受信装置１Ａは、複数個の階層に分割された伝送帯域を通じてサイマルキャストで送信された２つのデジタル放送を受信するものとする。たとえば、図１に示したように、１３個のＯＦＤＭセグメントＳ１〜Ｓ１３のうち、１２個のＯＦＤＭセグメントＳ１〜Ｓ６，Ｓ８〜Ｓ１３を通じて固定受信機向けのハイビジョン放送が送信され、１セグメントＳ７のみを通じて当該ハイビジョン放送と同一内容の移動体向けデジタル放送（１セグメント放送）が送信されている場合には、デジタル放送受信装置１Ａは、これらハイビジョン放送と１セグメント放送とを同時に受信する機能を有する。なお、デジタル放送受信装置１Ａは、サイマルキャストされたデジタルテレビジョン放送を受信してこれらデジタルテレビジョン放送の内容を互いに同期させる機能を有するが、これに限らず、サイマルキャストされたデジタル音声放送を受信してこれらデジタル音声放送の内容を互いに同期させる機能を有していてもよい。
【００１０】
図２を参照すると、チューナ１１は、システムコントローラ（図示せず）の指示に応じてアンテナ１０で受信すべき放送局を選局し、放送波の受信信号を周波数変換してＯＦＤＭ（Orthogonal Frequency Division Multiplexing）変調信号を生成する。復調回路１２は、チューナ１１からのＯＦＤＭ変調信号を復調してＭＰＥＧ−２（ＩＳＯ／ＩＥＣ１３８１８−１準拠）規格に従ってＴＳ（トランスポートストリーム）３０を生成し、このＴＳ３０を信号処理回路３Ａに供給する。なお、チューナ１１は、地上波デジタル放送、衛星デジタル放送および有線デジタル放送のうちの１つまたは複数の放送を受信する機能を有していればよいが、これらのデジタル放送に限らず、インターネットなどのコンピュータ・ネットワークを介して送信されたデジタル放送を受信する機能を有してもよい。
【００１１】
図３は、図１に示された復調回路１２の概略構成を示す機能ブロック図である。図３を参照すると、復調回路１２は、ＦＦＴ処理部４０、フレームデコーダ４１、ＴＭＣＣ復号部４１Ａ、復調部４２、周波数デインターリーバ４３、時間デインターリーバ４４、階層分割部４５、キャリア復調部４６Ａ，４６Ｂ、内符号復号部４７Ａ，４７Ａ、ＴＳ再生部４８および外符号復号部４９を有している。
【００１２】
ＦＦＴ処理部４０は、チューナ１１からのＯＦＤＭ変調信号にＦＦＴ（高速フーリエ変換）を施して時間領域の信号から周波数領域の信号に変換する。フレームデコーダ４１は、ＦＦＴ処理部４０からの信号をＯＦＤＭセグメントの信号に変換して復調部４２に供給する。また、フレームデコーダ４１は、各階層で使用されている伝送パラメータを表す制御信号（ＴＭＣＣ信号；Transmission Multiplexing Configuration Control signal）を分離してＴＭＣＣ復号部４１Ａに与える。ＴＭＣＣ復号部４１Ａは、そのＴＭＣＣ信号をデコードして、放送局（図示せず）において階層毎に設定された伝送パラメータ３１を生成し、これら伝送パラメータ３１を後段の処理ブロック４２〜４９に供給している。伝送パラメータとしては、たとえば、ＯＦＤＭセグメント数、変調方式および時間インターリーブの深さ（時間インターリーブ長）が挙げられる。
【００１３】
復調部４２は、伝送パラメータ３１で指定される伝送モードに対応した差動検波あるいは同期検波をフレームデコーダ４１の出力信号に施す。放送局では、送信すべきＴＳパケット（トランスポートストリームパケット）を時間方向に並べ替える時間インターリーブと、時間インターリーブされたＴＳパケットを周波数方向に並べ替える周波数インターリーブとが実行されている。周波数デインターリーバ４３は、復調部４２から供給された周波数インターリーブされたＴＳパケットを元の順序に並べ替えるデインターリーブを実行する。また、時間デインターリーバ４４は、周波数デインターリーバ４３から供給された時間インターリーブされたＴＳパケットを元の順序に並べ替えるデインターリーブを実行する。
【００１４】
ここで、時間デインターリーバ４４は、伝送パラメータ３１で指定される時間インターリーブ長に対応したデインターリーブを実行する。時間インターリーブ長が大きいほどデータの分散度が高くなるので、携帯端末や車載端末などの移動体でデジタル放送を受信する場合でもフェージングや雑音妨害に対する耐性が向上するが、一方で、時間インターリーブ長が大きいほどに、時間インターリーブと時間デインターリーブに要する処理時間が長くなり、遅延時間が大きくなる。サイマルキャストされた２つのデジタル放送は互いに異なる階層を通じて伝送され、階層毎に周波数インターリーブや時間インターリーブが実行される。よって、インターリーブに関する伝送パラメータが階層間で異なる場合、インターリーブおよびデインターリーブに要する処理時間も階層毎に異なるので、階層間（すなわち、サイマルキャストされた２つのデジタル放送間）に遅延時間差が発生することとなる。
【００１５】
次に階層分割部４５は、時間デインターリーバ４４から供給されたデータストリームを２つの階層に分割する。一方の階層のデータは、キャリア復調部４６Ａでデマッピングおよびビットデインターリーブを施された後に、内符号復号部４７Ａでデパンクチャおよびビタビ復号を施される。他方の階層のデータは、キャリア復調部４６Ｂでデマッピングおよびビットデインターリーブを施された後に、内符号復号部４７Ｂでデパンクチャおよびビタビ復号を施される。さらに、ＴＳ再生部４８は、内符号復号部４７Ａ，４７Ｂから供給されたデータを合成してＴＳパケットを生成し、これらＴＳパケットを外符号復号部４９に供給する。そして、外符号復号部４９は、ＴＳ再生部４８の出力信号にエネルギー拡散およびＲＳ復号（リードソロモン復号）を施し、その結果得られたＴＳ（符号化ビットストリーム）３０を信号処理回路３Ａに供給する。なお、図３の例では、階層分割部４５は、データストリームを２階層に分割したが、これに限らず、最大３階層に分割することも可能である。
【００１６】
次に、図２を参照しつつ信号処理回路３Ａの動作について説明する。第１分離部（ＤｅＭＵＸ）２１Ａは、エラー監視部２０を介して供給されるＴＳ３０から、第１のデジタル放送（たとえば、ハイビジョン放送）に対応するＰＥＳパケット（パケッタイズドエレメンタリストリームパケット）を分離し、このＰＥＳパケットを第１デコーダ２２Ａに供給する。また、第１分離部２１Ａに供給されるＴＳパケットの中の所定領域には、放送局の送信機（図示せず）において一定周期毎にＰＣＲ（Program Clock Reference）データが格納される。このＰＣＲデータは、信号処理回路３Ａで使用される基準クロックを生成するための基準時刻情報である。第１分離部２１Ａは、ＴＳパケットから分離したＰＣＲデータをクロック生成部２７に供給する。クロック生成部２７は、ＰＣＲデータを用いて基準クロックＣＬＫを生成する。またクロック生成部２７は、ＰＣＲデータに応じて動作する第１カウンタ２７Ａを含み、この第１カウンタ２７Ａのカウント値を第１デコーダ２２Ａに供給している。
【００１７】
第１デコーダ２２Ａは、第１分離部２１Ａから供給されたＰＥＳパケットから、符号化映像データおよび符号化音声データを示すエレメンタリストリームをそれぞれ抽出し、それら符号化映像データおよび符号化音声データを復号して復号信号を生成する。ここで、ＰＥＳパケットのヘッダ領域には、映像と音声との同期のために、ＰＥＳパケット毎に必要に応じてタイムスタンプが格納されている。映像の場合には、ピクチャ毎に、再生時刻を指定するＰＴＳ（Presentation Time Stamp）とデコードの時刻を指定するＤＴＳ（Decoding Time Stamp）とを格納することができる。第１デコーダ２２Ａは、エレメンタリストリームをバッファ（図示せず）に一時的に記憶し、クロック生成部２７から供給されるカウンタの値にタイムスタンプの値が一致したときにそのバッファから符号化データを読み出し、当該読み出された符号化データの復号を開始したり、復号データを出力したりする。
【００１８】
第１バッファ２３Ａは、第１デコーダ２２Ａから出力された復号信号を一時的に記憶する。第１出力制御部２４Ａは、第１バッファ２３Ａから復号信号を読み出し、当該読み出された復号信号を出力切替部２５に転送する。
【００１９】
一方、第２分離部（ＤｅＭＵＸ）２１Ａは、エラー監視部２０を介して供給されるＴＳ３０から、第２のデジタル放送（たとえば、１セグメント放送）に対応するＰＥＳパケットを分離し、このＰＥＳパケットを第２デコーダ２２Ｂに供給する。また、第２分離部２１Ｂに供給されるＴＳパケットの中の所定領域には、放送局の送信機（図示せず）において一定周期毎にＰＣＲデータが格納される。第２分離部２１Ｂは、ＴＳパケットから分離したＰＣＲデータをクロック生成部２７に供給する。クロック生成部２７は、ＰＣＲデータに応じて動作する第２カウンタ２７Ｂを含み、この第２カウンタ２７Ｂのカウント値を第２デコーダ２２Ｂに供給している。
【００２０】
第１デコーダ２２Ａは、第１分離部２１Ａから供給されたＰＥＳパケットから、符号化映像データおよび符号化音声データを示すエレメンタリストリームをそれぞれ抽出し、それら符号化映像データおよび符号化音声データを復号して復号信号を生成する。ここで、ＰＥＳパケットのヘッダ領域には、映像と音声との同期のために、ＰＥＳパケット毎にタイムスタンプが格納されている。第２デコーダ２２Ｂは、エレメンタリストリームをバッファ（図示せず）に一時的に記憶し、クロック生成部２７から供給されるカウント値にタイムスタンプの値が一致したときにそのバッファから符号化データを読み出し、当該読み出された符号化データの復号を開始したり、復号データを出力したりする。また、第２バッファ２３Ｂは、第２デコーダ２２Ｂから出力された復号信号を一時的に記憶する。第２出力制御部２４Ｂは、第２バッファ２３Ｂから復号信号を読み出し、当該読み出された復号信号を出力切替部２５に転送する。
【００２１】
他方、同期ずれ検出部２８は、第１バッファ２３Ａおよび第２バッファ２３Ｂからそれぞれ復号信号を読み出し、第１のデジタル放送の復号信号と第２のデジタル放送の復号信号とを所定のデータ単位で比較し、当該比較結果に基づいてこれら復号信号間の同期ずれを検出する機能を有する。所定のデータ単位は、映像の場合は画像フレーム単位に、音声の場合は音声フレーム単位にすればよい。
【００２２】
具体的には、同期ずれ検出部２８は、復調回路１２から供給された伝送パラメータ３１に基づいて同期ずれに相当する遅延時間差を予測し、さらに、当該予測された遅延時間差に基づいて検索範囲（時間窓）を設定し、この検索範囲内で復号信号を比較する。この検索範囲の設定方法の一例を図４を参照しつつ以下に説明する。図４には、第１デコーダ２２Ａの出力のうち映像信号（以下、「第１映像信号」と呼ぶ。）を表す一連の画像フレームＭ０，Ｍ１，…，Ｍ１０，…が示され、第２デコーダ２２Ｂの出力のうち映像信号（以下、「第２映像信号」と呼ぶ。）を表す一連の画像フレームＨ０，Ｈ１，…，Ｈ５，…が示されている。説明の便宜上、第１デコーダ２２Ａが出力する第１映像信号のフレームレートは、第２デコーダ２２Ｂが出力する第２映像信号のフレームレートの２倍であるとする。
【００２３】
同期ずれ検出部２８は、第１映像信号と第２映像信号のうちのいずれか一方の画像フレームを基準フレームとして選択し、当該基準フレームに対応する時刻を含む長さＴｐの時間窓（検索範囲）を設定する。上述した通り、インターリーブに関して設定された伝送パラメータが階層間で異なる場合、インターリーブおよびデインターリーブに要する処理時間は階層毎に異なるので、階層間（すなわち、サイマルキャストされた２つのデジタル放送間）に遅延時間差が発生することとなる。同期ずれ検出部２８は、この遅延時間差Δｔを、時間インターリーブ長などの伝送パラメータ３１に基づいて予測できる。同期ずれ検出部２８は、図４に示されるように、第１映像信号の一連の画像フレームＭ０，Ｍ１，…，Ｍ１０，…のうち、基準時刻ｔ0に近い所定数の画像フレームＭ５，Ｍ６を基準フレームとして選択できる。次に、同期ずれ検出部２８は、基準時刻ｔ0から予測値Δｔだけ遅延させた時刻ｔ1を中心にして長さＴｐの時間窓を設定し、第２映像信号の一連の画像フレームＨ０，Ｈ１，…，Ｈ５，…のうち当該時間窓に含まれる画像フレームＨ１，Ｈ２，Ｈ３を選択する。
【００２４】
そして、同期ずれ検出部２８は、第１バッファ２３Ａから読み出された基準フレームＭ５，Ｍ６と、第２バッファ２３Ｂから読み出された選択フレームＨ１，Ｈ２，Ｈ３とを比較して最も近い内容のフレームの組み合わせを検索する。すなわち、基準フレームと選択フレームとの組み合わせ（Ｍｘ，Ｈｘ）は、（Ｍ５，Ｈ１）、（Ｍ５，Ｈ２）、（Ｍ５，Ｈ３）、（Ｍ６，Ｈ１）、（Ｍ６，Ｈ２）、（Ｍ６，Ｈ３）の６通り存在する。これら組み合わせのうち、フレーム間の情報量の差が最小になる組み合わせを検索することができる。たとえば、各組み合わせについてフレーム間の輝度差を画素毎に算出し、これら輝度差の総和を算出して、総和が最小になる組み合わせを検索することができる。あるいは、フレーム間の相関が最大になる組み合わせを検索することも可能である。なお、第１映像信号と第２映像信号の画像フレーム間で解像度が異なる場合は、事前に、一方の映像信号の画像フレームの解像度と一致するように他方の画像フレームの解像度を変換しておくことが望ましい。
【００２５】
なお、同期ずれ検出部２８は、互いに最も近い内容を持つ画像フレームの組み合わせを検索する機能だけでなく、周波数解析や相関算出処理を実行して互いに最も近い内容を持つ音声フレームの組み合わせを検索する機能をも有している。
【００２６】
同期ずれ検出部２８は、上記検索の結果によって得られた組み合わせのフレーム間の時間差を同期ずれとして検出する。図４において、選択フレームＨ１が基準フレームＭ５に最も近い内容を有する場合、これらフレームＨ１，Ｍ５間の時間差を同期ずれとして検出することができる。この検出結果は、同期制御部２９に通知される。
【００２７】
同期制御部２９は、同期ずれ検出部２８で検出された同期ずれを補償するように第１出力制御部２４Ａおよび第２出力制御部２４Ｂに指令を発する。かかる指令に応じて、第１出力制御部２４Ａおよび第２出力制御部２４Ｂは、それぞれ、第１バッファ２３Ａおよび第２バッファ２３Ｂから復号信号を読み出し、当該読み出された復号信号を出力切替部２５に転送する。したがって、出力切替部２５には、第１のデジタル放送の復号信号と第２のデジタル放送の復号信号とが互いに正確に同期して出力されることとなる。
【００２８】
出力切替部２５は、切替制御部２６からの切替制御信号に応じて、第１出力制御部２４Ａおよび第２出力制御部２４Ｂからそれぞれ転送された復号信号のうちいずれか一方を選択的に外部のディスプレイ装置やスピーカー装置に出力するものである。
【００２９】
エラー監視部２０は、復調回路１２からのＴＳ３０を常時監視し、ＴＳ３０における訂正不可能なビットエラーを検出し、このビットエラーの発生位置とビットエラーレートとを表すエラー情報を切替制御部２６に供給する。切替制御部２６は、エラー監視部２０からのエラー情報に基づいて、第１のデジタル放送についてのビットエラーレートＢｅｒが許容値（閾値）を超えればエラーが存在すると判定し、ビットエラーレートが前記許容値以下であればエラーが存在しないと判定することができる。許容値は、ユーザーが入力部（図示せず）を操作することにより適宜設定できる。なお、ビットエラーレートＢｅｒに基づいてエラーの有無を判定する代わりに、たとえば、受信回路２がデジタル放送の受信信号のＣ／Ｎ比（搬送波電力対ノイズ電力比）を検出する場合には、切替制御部２６は、このＣ／Ｎ比が所望値未満であればエラーが発生したと判定することも可能である。
【００３０】
切替制御部２６は、エラーが存在しないと判定したときは、第１のデジタル放送の復号信号が出力されるように出力切替部２５を制御し、エラーが存在すると判定したときは、第１のデジタル放送に代えて第２のデジタル放送の復号信号が出力されるように出力切替部２５を制御することができる。たとえば、高品質の第１のデジタル放送と低品質の第２のデジタル放送とがサイマルキャストされている場合に、受信環境の変化により第１のデジタル放送についてエラーが発生しても、切替制御部２６は、第１のデジタル放送の代わりに、当該第１のデジタル放送と同一内容の第２のデジタル放送の復号信号を出力することができる。
【００３１】
なお、エラーが存在しない場合にはシステムの動作の安定性の観点から、クロック生成部２７は、第１分離部２１Ａから供給されるＰＣＲデータと第１カウンタ２７Ａのカウント値とを用いて基準クロックＣＬＫを生成することが望ましい。一方、切替制御部２６がエラーが存在すると判定した場合、クロック生成部２７は、その判定結果を示す信号が切替制御部２６から供給される間、第１分離部２１Ａの代わりに第２分離部２１Ｂから供給されるＰＣＲデータと第２カウンタ２７Ｂのカウント値とを用いて基準クロックＣＬＫを生成することが望ましい。
【００３２】
上記の通り、第１実施例のデジタル放送受信装置１Ａでは、同期ずれ検出部２８は、復調回路１２から供給された伝送パラメータ３１に基づいて同期ずれを予測し、当該予測した同期ずれに基づいて検索範囲を設定し、当該検索範囲内で、第１のデジタル放送の復号信号と第２のデジタル放送の復号信号とをフレーム単位（画像フレーム単位または音声フレーム単位）で比較する。それゆえ、検索範囲を限定できるので、最も近い内容のフレームの組み合わせを短時間で検索できる。また検索処理に要する演算量を少なくすることができる。さらに同期ずれを正確に検出することが可能である。たとえば、図４において予測値Δｔが考慮されない場合、基準時刻ｔ0を中心にして長さＴｎの時間窓（検索範囲）が設定されることになる。この時間窓に含まれる選択フレームＨ１，Ｈ２，Ｈ３，Ｈ４，Ｈ５の数は多いので、検索処理に要する時間は長く、演算量は多くなる。
【００３３】
また、第１実施例のデジタル放送受信装置１Ａは、第１のデジタル放送の内容と第２のデジタル放送の内容とを正確に同期させることができる。これにより、第１のデジタル放送についてエラーが発生して第１のデジタル放送の代わりに第２のデジタル放送の復号信号を出力する場合でも、極力視覚的に自然な映像を提供することが可能である。
【００３４】
次に、本発明に係る第２実施例について説明する。図５は、第２実施例のデジタル放送受信装置１Ｂの概略構成を示す機能ブロック図である。このデジタル放送受信装置１Ｂは、受信回路２と信号処理回路３Ｂとで構成されている。図２と図５との間で同一符号が付された構成要素は略同一機能を有するものとして、その詳細な説明を省略する。
【００３５】
図５に示されるように、信号処理回路３Ｂの構成は、第１タイムスタンプ調整部５０Ａを含む第１分離部２１Ａと、第２タイムスタンプ調整部５０Ｂを含む第２分離部２１Ｂとを有し、これら第１タイムスタンプ調整部５０Ａおよび第２タイムスタンプ調整部５０Ｂを個別に制御する同期制御部５１を有する点で、第１実施例の信号処理回路３Ａの構成とは相違する。
【００３６】
第１実施例の信号処理回路３Ａは、第１バッファ２３Ａおよび第２バッファ２３Ｂからの復号信号の読み出しを制御して第１および第２のデジタル放送の復号信号の出力タイミングを制御し、これにより同期ずれを補償していた。これに対し、第２実施例の信号処理回路３Ｂは、ＰＥＳパケットのヘッダ領域内のタイムスタンプの値を変更して第１および第２のデジタル放送の復号信号の出力タイミングを制御し、これにより同期ずれを補償するものである。
【００３７】
具体的には、同期ずれ検出部２８は、上記した通り、伝送パラメータ３１を用いて第１のデジタル放送の復号信号と第２のデジタル放送の復号信号との間の同期ずれを検出する。この検出結果は、同期制御部５１に通知される。同期制御部５１は、当該検出された同期ずれを補償し得る第１オフセット値および第２オフセット値を設定し、第１オフセット値を第１分離部２１Ａの第１タイムスタンプ調整部５０Ａに供給し、第２オフセット値を第２分離部２１Ｂの第２タイムスタンプ調整部５０Ｂに供給する。第１タイムスタンプ調整部５０Ａは、ＰＥＳパケットのヘッダ領域からタイムスタンプ（ＰＴＳ）を読み出し、このタイムスタンプの値に第１オフセット値を加算し、ＰＥＳパケットのヘッダ領域内のタイムスタンプの値を当該加算値に書き換える。一方、第２タイムスタンプ調整部５０Ｂは、ＰＥＳパケットのヘッダ領域からタイムスタンプを読み出し、このタイムスタンプの値に第２オフセット値を加算し、ＰＥＳパケットのヘッダ領域内のタイムスタンプの値を当該加算値に書き換える。
【００３８】
この結果、第１デコーダ２２Ａは、クロック生成部２７から供給されるカウント値にタイムスタンプの値が一致したときに自己のバッファ（図示せず）から符号化データを読み出し、当該読み出された符号化データの復号を開始したり、復号データを出力したりする。第２デコーダ２２Ｂも同様の処理を行う。したがって、信号処理回路３Ｂは、第１および第２のデジタル放送の復号信号の出力タイミングを制御して同期ずれを補償することができる。
【００３９】
なお、第２実施例では、第１分離部２１Ａおよび第２分離部２１Ｂの双方にタイムスタンプ調整部５０Ａ，５０Ｂが組み込まれているが、これに限らず、第１分離部２１Ａおよび第２分離部２１Ｂのいずれか一方のみにタイムスタンプ調整部が組み込まれていてもよい。
【００４０】
以上、本発明に係る種々の実施例について説明した。上記実施例の信号処理回路３Ａ，３Ｂの構成は、ハードウェアで実現されてもよいし、或いは、ＣＰＵなどのプロセッサに処理を実行させるプログラムを用いて実現されてもよい。
【図面の簡単な説明】
【００４１】
【図１】複数のＯＦＤＭセグメントを示す図である。
【図２】本発明に係る第１実施例のデジタル放送受信装置の概略構成を示す機能ブロック図である。
【図３】復調回路の概略構成を示す機能ブロック図である。
【図４】検索範囲の設定方法の一例を説明するための図である。
【図５】本発明に係る第２実施例のデジタル放送受信装置の概略構成を示す機能ブロック図である。
【符号の説明】
【００４２】
１Ａ，１Ｂ  デジタル放送受信装置
２  受信回路
３Ａ，３Ｂ  信号処理回路
２０  エラー監視部
２１Ａ，２１Ｂ  分離部（ＤｅＭＵＸ）
２２Ａ，２２Ｂ  デコーダ
２３Ａ，２３Ｂ  バッファ
２４Ａ，２４Ｂ  出力制御部
２５  出力切替部
２６  切替制御部
２８  同期ずれ検出部
２９，５１  同期制御部
５０Ａ，５０Ｂ  タイムスタンプ調整部
【図１】
2007306363.tif 000003
【図２】
2007306363.tif 000004
【図３】
2007306363.tif 000005
【図４】
2007306363.tif 000006
【図５】
2007306363.tif 000007